(57)【特許請求の範囲】
【請求項１】
各種回線を介した送受信信号とインタフェースする第１の通信処理部と、
ホストコンピュータと通信制御を行う第２の通信処理部と、
セルからＨＤＬＣフレームへの変換と、ＨＤＬＣフレームからセルへの変換を行うセル分離組立部と、
ＡＴＭ交換処理を行うＡＴＭ交換処理部と、
受信するデータがＡＴＭセルデータの場合、前記ＡＴＭ交換処理部および前記セル分離組立部を経由して前記第２の通信処理部にデータを送信し、受信するデータがＨＤＬＣフレームデータの場合、前記ＡＴＭ交換処理部をバイパスして前記第２の通信処理部にデータを送信するようタイムスロット単位にスイッチングするＳＴＭ交換処理部と、を有して構成されることを特徴とするセル・フレーム切り替え処理装置。
【請求項２】
前記タイムスロット単位にセル同期確立を監視するセル同期検出部と、
前記セル同期検出部を常時監視して前記タイムスロット単位に前記ＳＴＭ交換処理部を切り替える主制御部とをさらに有し、
前記セル同期検出部は、前記第１の通信処理部を経由して受信するデータがＡＴＭセルデータかＨＤＬＣフレームデータかを常時監視し、前記主制御部に通報することを特徴とする請求項１記載のセル・フレーム切り替え処理装置。
【発明の詳細な説明】
【０００１】
【発明の属する技術分野】
本発明は、セル・フレーム切り替え処理装置に関し、特に、既設端末をＡＴＭ端末に移行する場合に適用されるセル・フレーム切り替え処理装置に関する。
【０００２】
【従来の技術】
従来、セル・フレーム切り替え処理装置は、例えば、ＡＴＭ（asynchronous transfer mode/ 非同期伝送モード）形式で構築される。
【０００３】
図３は、従来のパケット交換システムの構成例を示すシステム構成図である。本図３において、従来のパケット交換システムは、パケット交換処理装置１０１とホストコンピュータ１０２とが高速デジタル伝送サービス網で接続され、また上記のパケット交換処理装置１０１と端末１０３、・・、１０３との間が高速デジタル伝送サービス網で接続されて構成される。
【０００４】
本発明と技術分野の類似する先願発明例１として、特開平５−６８０５０号公報の「ＡＴＭ交換システム」がある。本先願発明例１では、フレーム形式の伝送フォーマットにより交換接続する挟帯域用回線・パケット交換機と、セル形式の伝送フォーマットにより交換接続する広帯域用ＡＴＭ交換機とを併設させたＡＴＭ（asynchronous transfer mode/ 非同期伝送モード）交換システムに関するものである。本従来例のシステムは、ＡＴＭ交換機に若干の改良を加えることによって挟帯域ＩＳＤＮ端末を収容し、マルチメディア・サービスを提供するものである。
【０００５】
【発明が解決しようとする課題】
しかしながら、上記従来技術において、既設端末をＡＴＭ（asynchronous transfer mode/ 非同期伝送モード）端末に移行する場合、順次局データを変更する必要があり、移行作業に膨大な時間が必要となる。さらに、局データ誤りなどの人為的なミスが発生し易い。また、既存のネットワークを、ＡＴＭをバックボーンとするネットワークに切り替える場合、既存ネットワークの設備を有効利用できず、新たに膨大な設備投資が必要となる問題点を有する。
【０００６】
本発明は、挟帯域用回線・パケット交換機と広帯域用ＡＴＭ交換機とが併設されたＡＴＭ交換システムにおいて、高効率にセル・フレーム切り替え処理を可能とするセル・フレーム切り替え処理装置を提供することを目的とする。
【０００７】
【課題を解決するための手段】
かかる目的を達成するため、本発明のセル・フレーム切り替え処理装置は、各種回線を介した送受信信号とインタフェースする第１の通信処理部と、ホストコンピュータと通信制御を行う第２の通信処理部と、セルからＨＤＬＣフレームへの変換と、ＨＤＬＣフレームからセルへの変換を行うセル分離組立部と、ＡＴＭ交換処理を行うＡＴＭ交換処理部と、受信するデータがＡＴＭセルデータの場合、ＡＴＭ交換処理部およびセル分離組立部を経由して第２の通信処理部にデータを送信し、受信するデータがＨＤＬＣフレームデータの場合、ＡＴＭ交換処理部をバイパスして第２の通信処理部にデータを送信するようタイムスロット単位にスイッチングするＳＴＭ交換処理部と、を有して構成されることを特徴とする。
【０００８】
また、上記タイムスロット単位にセル同期確立を監視するセル同期検出部と、セル同期検出部を常時監視して上記タイムスロット単位にＳＴＭ交換処理部を切り替える主制御部とをさらに有し、セル同期検出部は、第１の通信処理部を経由して受信するデータがＡＴＭセルデータかＨＤＬＣフレームデータかを常時監視し、主制御部に通報することが好ましい。
【００１１】
【発明の実施の形態】
次に、添付図面を参照して本発明によるセル・フレーム切り替え処理装置の実施の形態を詳細に説明する。図１および図２を参照すると、本発明のセル・フレーム切り替え処理装置の一実施形態が示されている。
【００１２】
図１は、本発明によるセル・フレーム切り替え処理装置を適用したシステム構成例を示す。本システムは、セル・フレーム切り替え処理装置１００とホストコンピュータ１０２とが高速デジタル伝送サービス網で接続され、また上記のセル・フレーム切り替え処理装置１００と複数の端末１０３、・・、１０３およびＡＴＭ（asynchronous transfer mode/ 非同期伝送モード）端末１０４との間が高速デジタル伝送サービス網で接続されて構成される。
【００１３】
また、上記のセル・フレーム切り替え処理装置１００は、ＡＴＭ交換処理部１１３、パケット交換処理部１１７、ＳＴＭ交換処理部１１８を有して構成される。
【００１４】
図１のシステム構成は、セル・フレーム切り替え処理装置１００を含む大規模ネットワークの構成例を示している。この大規模ネットワークにおいて、ホストコンピュータ１０２は、高速デジタル伝送サービスやフレームリレーサービスを利用して、セル・フレーム切り替え処理装置１００内のパケット交換処理部１１７を経由して、挟帯域用の既設端末１０３及び広帯域用のＡＴＭ端末１０４にサービスを提供する。
【００１５】
図２は、上記セル・フレーム切り替え処理装置１００の、さらに詳細な構成例を示したブロック図である。図２を参照しながら本実施例の構成の内容を以下に説明する。本構成例のセル・フレーム切り替え処理装置１００は、セル同期検出部１１０と、主制御部１１１と、ＳＴＭ交換処理部１１８と、ＡＴＭ交換処理部１１３と、３個のセル分離組立部１１４、１１４、１１４と、通信処理部１１５、１１６と、パケット交換処理部１１７と、を有して構成される。
【００１６】
通信処理部１１５は、各種回線とインタフェースする。
通信処理部１１６は、パケット交換処理部１１７とＳＴＭ交換処理部１１８との間をインタフェースする。
セル同期検出部１１０は、タイムスロット単位にセル同期確立を監視する。
ＡＴＭ交換処理部１１３は、ＡＴＭ交換処理を行う。
【００１７】
ＳＴＭ交換処理部１１８は、ＡＴＭ交換処理部１１３から受信するデータと通信処理部１１５から受信するデータとの間で、タイムスロット単位にスイッチングする。
セル分離組立部１１４は、セルからＨＤＬＣフレームへの変換と、ＨＤＬＣフレームからセルへの変換とを行う。
主制御部１１１は、セル同期検出部１１０を常時監視して、タイムスロット単位にＳＴＭ交換処理部１１８を切り替える。
【００１８】
上記セル・フレーム切り替え処理装置１００の構成例を示す図２において、セル同期検出部１１０は、端末１０３から通信処理部１１５を経由して受信するデータを、ＡＴＭセルデータかＨＤＬＣフレームデータかを常時監視し、主制御部１１１に通報する。この通報を受けた主制御部１１１は、セル同期検出部１１０の監視結果に基づきＳＴＭ交換処理部１１８を切り替える。
【００１９】
受信するデータがＡＴＭセルデータの場合、ＡＴＭ交換処理部１１３を経由し、セル分離組立部１１４でセルからＨＤＬＣフレームへの変換と、ＨＤＬＣフレームからセルへの変換を行い、通信処理部１１６にデータを送信する。また、受信するデータがＨＤＬＣフレームデータの場合、ＳＴＭ交換処理部１１８を切り替えることによりＡＴＭ交換処理部１１３をバイパスし、直接、通信処理部１１６にデータを送信する。通信処理部１１６では、パケット交換処理部１１７を経由し、ホストコンピュータ１０２と通信制御を行う。
【００２０】
（動作の説明）
次に、図１、図２および従来例を示す図３を参照して本実施例の動作を説明する。従来例を示す図３において、パケット交換処理装置１０１は、ホストコンピュータ１０２と端末１０３の間に位置し、高速デジタル専用線に接続されている。これを、図１に示す本発明のシステムへ移行する。本移行の手順を以下に示す。
【００２１】
ＡＴＭをバックボーンとするネットワークに移行するため、高速デジタル専用線との接続を、セル・フレーム切り替え処理装置１００に引き込み、一方の通信処理部１１５と接続する。パケット交換処理部１１７は、他方の通信処理部１１６とセル・フレーム切り替え処理装置１００内で接続される。
【００２２】
複数の端末１０３、・・、１０３から受信するデータは、高速デジタル伝送サービスを利用し、デジタル専用線に多重された回線を、他方の通信処理部１１６に接続する。
【００２３】
セル同期検出部１１０は、一方の通信処理部１１５から受信するデータのセル同期確立を、タイムスロット単位に常時監視する。
【００２４】
端末１０３から受信するデータがＨＤＬＣフレームデータの場合、セル同期検出部１１０では、すべてのタイムスロットでセル同期が未確立状態である。このため、主制御部１１１は、一方の通信処理部１１５に入力されたデータが他方の通信処理部１１６に出力されるように、ＳＴＭ交換処理部１１８を設定する。
【００２５】
このようにして、端末１０３をＡＴＭ端末１０４に変更する前は、すべてＳＴＭ交換処理部１１８を経由するようにして、パケット交換処理部１１７にデータを送信する。
【００２６】
端末１０３がＡＴＭ端末１０４に変更になった場合、セル同期検出部１１０で該当のタイムスロットのセル同期が確立する。このため、主制御部１１１では、該当のタイムスロットについてＡＴＭ交換処理部１１３経由でパケット交換処理部１１７と接続するように、ＳＴＭ交換処理部１１８を切り替える。
【００２７】
ＡＴＭ交換処理部１１３で交換処理されたデータは、セル分離組立部１１４でセルからＨＤＬＣフレームに変換され、ＳＴＭ交換処理部１１８を経由してパケット交換処理部１１７と接続する。このようにして、局データを変更することなく任意の端末１０３をＡＴＭ端末１０４に変更することが可能となる。
【００２８】
（実施例の効果）
第一の効果は、既存のネットワークにおいて、ＡＴＭをバックボーンとするネットワークに容易に切り替えることができることである。その理由は、局データの変更の必要がなく、そのため局データ誤りなどの人為的なミスが発生しないためである。
【００２９】
第二の効果は、設備投資を最小限に押さえることができることである。その理由は、既存のネットワーク設備を継承したまま本実施例に移行することができるため、ＡＴＭをバックボーンとするネットワークを合わせて利用することを、容易に行うことができるためである。これにより、既存ネットワークの設備を最大限に利用することができる。
【００３０】
第三の効果は、既存ネットワークでサービスを提供されていた設備（端末）をＡＴＭ端末へ変更する場合において、局データを変更することなく自由に移設が可能となる。このため、ＡＴＭをバックボーンとするネットワークへの移行を、容易に行うことが可能となる。その理由は、接続される端末の種類がＡＴＭ端末であっても、他のデータ端末であっても、交換機側でセルデータとセル以外のデータを自動で切り替えて受信することができるためである。
【００３１】
（発明の特徴）
セルと呼ばれる固定長パケットをユーザが非同期で送出するモード（Ａｓｙｎｃｈｒｏｎｏｕｓ  Ｔｒａｎｓｆｅｒ  Ｍｏｄｅ）で交換処理を行う処理装置において、高速デジタル専用線やＩＳＤＮ網から入力されるデータをＡＴＭセルデータかＨＤＬＣフレームデータかをタイムスロット単位に常時監視し、受信データのセル同期によりセルかＨＤＬＣフレームかを判別することにより、セルデータ受信の場合はＡＴＭ交換処理部で交換処理を行ったセルデータをＨＤＬＣフレームデータに変換後、ＳＴＭ交換処理部を経由してパケット交換処理部に送信する。受信したデータがＨＤＬＣフレームデータの場合は、直接ＳＴＭ交換処理部を介して、パケット交換処理部に接続することを特徴とする。
【００３２】
（他の実施例）
利用しているサービスがフレームリレーサービスやＩＳＤＮサービスの場合においても、本発明と同様な構成でセルとフレームの自動切り替えが可能である。また、ホストコンピュータ１０２とインタフェースする回線に通信処理部１１５とセル同期検出部１１０とを接続することにより、セルとフレームの自動切り替えによりホストコンピュータ１０２がＡＴＭインタフェースに変更、または追加となる場合においても、柔軟に移行が可能である。
【００３３】
なお、上述の実施形態は本発明の好適な実施の一例である。ただし、これに限定されるものではなく、本発明の要旨を逸脱しない範囲内において種々変形実施が可能である。
【００３４】
【発明の効果】
以上の説明により明らかなように、本発明のセル・フレーム切り替え処理装置は、受信するデータがＡＴＭセルデータの場合、ＡＴＭ交換処理部を経由し、セルからＨＤＬＣフレームへの変換とＨＤＬＣフレームからセルへの変換を行い、また、受信するデータがＨＤＬＣフレームデータの場合、ＳＴＭ交換処理部を切り替えることによりＡＴＭ交換処理部をバイパスする。これにより、局データの変更の必要がなく、そのため局データ誤りなどの人為的なミスが発生しない。また、既存のネットワークにおいて、ＡＴＭをバックボーンとするネットワークに容易に切り替えることができる。
【図面の簡単な説明】
【図１】本発明のセル・フレーム切り替え処理装置を適用したシステム構成図である。
【図２】本発明のセル・フレーム切り替え処理装置の実施形態を示すブロック構成図である。
【図３】従来のパケット交換システムのシステム構成図である。
【符号の説明】
１００  セル・フレーム切り替え処理装置
１０１  パケット交換処理装置
１０２  ホストコンピュータ
１０３  既設端末
１０４  ＡＴＭ端末
１１０  セル同期検出部
１１１  主制御部
１１３  ＡＴＭ交換処理部
１１４  セル分離組立部
１１５、１１６  通信処理部
１１７  パケット交換処理部
１１８  ＳＴＭ交換処理部
【図１】
0003644397.tif 000002
【図２】
0003644397.tif 000003
【図３】
0003644397.tif 000004